(57)【要約】【課題】無線受信機能を備えた電気接続箱の大型化を回避しつつ、必要な長さを有するアンテナをコンパクトに収容することができる新規な構造を備えた無線受信機能付電気接続箱を提供すること。【解決手段】ケース１２，１４と、ケース１２，１４内に収容されて無線受信回路１６が設けられたプリント基板１８と、無線受信回路１６に一端部５２が接続された金属製のアンテナ４８と、プリント基板１８に実装されたコネクタ２０とを備え、アンテナ４８が、コネクタ２０のハウジング３０の上壁４４と側壁４２に跨って延設された状態でハウジング３０に固定されており、アンテナ４８の一端部５２がハウジング３０から突出されているようにした。【選択図】図１
2018148448.tif 000002
【特許請求の範囲】
【請求項１】
ケースと、
前記ケース内に収容されて無線受信回路が設けられたプリント基板と、
前記無線受信回路に一端部が接続された金属製のアンテナと、
前記プリント基板に実装されたコネクタとを備え、
前記アンテナが、前記コネクタのハウジングの上壁と側壁に跨って延設された状態で前記ハウジングに固定されており、前記アンテナの前記一端部が前記ハウジングから突出されている
ことを特徴とする無線受信機能付電気接続箱。
【請求項２】
前記アンテナが、前記ハウジングの前記上壁および前記側壁に埋設されている請求項１に記載の無線受信機能付電気接続箱。
【請求項３】
前記アンテナが、前記ハウジングの前記上壁においてメアンダ型に屈曲された形状とされている請求項１または２に記載の無線受信機能付電気接続箱。
【請求項４】
前記アンテナが、前記ハウジングの底壁に延設された状態で固定されている請求項１〜３の何れか１項に記載の無線受信機能付電気接続箱。
【請求項５】
前記プリント基板に、前記コネクタに隣接配置された隣接コネクタが実装されており、
前記隣接コネクタのハウジングに固定された追加アンテナが、前記アンテナに接続されている請求項１〜４の何れか１項に記載の無線受信機能付電気接続箱。
【発明の詳細な説明】
【技術分野】
【０００１】
本発明は、自動車用の電気接続箱に係り、特に、無線受信機能を備えた無線受信機能付電気接続箱に関するものである。
【背景技術】
【０００２】
近年、自動車のドアの解錠および施錠を、キー穴にキーを差し込むことなく行えるリモートキーレスエントリシステムが広く採用されている。かかるシステムは、乗員が携帯する送信用のリモートキーや送受信用のスマートキーを用い、これらのキーから送信する信号を無線受信回路にアンテナが接続されて構成された無線受信機で受信し、受信した信号を無線受信機に接続された、ドアロック制御部に送信して、ドアロック機構を自動制御することにより、ドアの解錠および施錠を行っている。
【０００３】
このようなシステムを構成する１つの要素として、無線受信回路等が設けられたプリント基板にアンテナが実装された無線受信機能を備えた電気接続箱が用いられており、例えば、特開２０１０−１６１７２５号公報（特許文献１）の図１に記載されているように、金属平板を所望の形状にプレス打ち抜きまたは屈曲して形成したアンテナを備えたプリント基板が電気接続箱内に収容されたものが知られている。このようなシステムで用いられる周波数（例えば３００〜４００ＭＨｚ）では、アンテナの長さは、受信電波の波長λの少なくともλ／４以上（約２０〜２５ｃｍ）は必要であることから、アンテナ自体の大型化が避けられず、かかる大型のアンテナが搭載された無線受信機能を備えたプリント基板全体が大型化し、それを収容する電気接続箱も大型化せざるを得なかった。
【０００４】
そこで、かかる無線受信機能を備えた電気接続箱の大型化を回避するために、例えば、特許第５０４４６９５号公報（特許文献２）の図１および図２に記載されているように、プリント基板に一端部を接続した金属棒またはバスバーでアンテナを形成し、プリント基板を収容するケース外周壁の内面に沿ってアンテナを配置することにより、アンテナ長さを確保して、無線受信機能を備えた電気接続箱の大型化を回避する構成が提案されている。
【０００５】
しかしながら、最近では、より小型化への要求が強まっており、リモートキーレスエントリシステム用のアンテナを金属棒やバスバーが用いて構成することが困難となる場合もあった。それゆえ、かかる無線受信機能を備えた電気接続箱をコンパクトに形成することが可能な新たな方法が求められている。
【先行技術文献】
【特許文献】
【０００６】
【特許文献１】特開２０１０−１６１７２５号公報
【特許文献２】特許第５０４４６９５号公報
【発明の概要】
【発明が解決しようとする課題】
【０００７】
本発明は、上述の如き事情を背景に為されたものであって、その解決課題は、無線受信機能を備えた電気接続箱の大型化を回避しつつ、必要な長さを有するアンテナをコンパクトに収容することができる新規な構造を備えた無線受信機能付電気接続箱を提供することにある。
【課題を解決するための手段】
【０００８】
本発明の第一の態様は、ケースと、前記ケース内に収容されて無線受信回路が設けられたプリント基板と、前記無線受信回路に一端部が接続された金属製のアンテナと、前記プリント基板に実装されたコネクタとを備え、前記アンテナが、前記コネクタのハウジングの上壁と側壁に跨って延設された状態で前記ハウジングに固定されており、前記アンテナの前記一端部が前記ハウジングから突出されていることを特徴とする。
【０００９】
本態様によれば、金属製のアンテナが、プリント基板に実装されたコネクタのハウジングの上壁と側壁に跨って延設された状態で、ハウジングに固定されている。それゆえ、コネクタのハウジングの上壁や側壁をアンテナの配置領域として利用することができ、長く大型のアンテナをスペース効率よく配設することが可能となる。その結果、プリント基板上の所定エリアに立体的なアンテナの配設空間を必要とした従来構造に比して、無線受信機能付電気接続箱の格段の小型化を達成することができる。
【００１０】
しかも、プリント基板に実装されるコネクタのハウジングに対して、アンテナ自体が固定されていることから、プリント基基板にハウジングを実装するだけで同時にアンテナを所定の位置に位置決めして配設することができるようになっている。それゆえ、従来構造では別途必要であったアンテナを配設する工程を、コネクタの実装工程に一元化できることから、製造工程を簡素化でき、作業効率の向上を図ることができる。
【００１１】
加えて、コネクタのハウジングの上壁と側壁に跨って金属製のアンテナを延在されていることから、ハウジングの剛性を向上することもできる。これにより、剛性を維持しつつハウジングを薄肉化することも可能となることから、ハウジングの小型化、ひいては無線受信機能付電気接続箱自体のさらなる小型化にも寄与できる。
【００１２】
なお、コネクタのハウジングに対するアンテナの固定構造は、ハウジングの上壁および側壁に跨ってアンテナが延存された状態で固定されていれば、いずれでもよく、例えば、ハウジングにアンテナの少なくとも一部を埋設して固定する構造や、アンテナをハウジングの上壁および側壁の表面に固着して固定する構造、さらにはハウジングの上壁および側壁の表面に突設された圧入リブや係合部によってアンテナをハウジングに固定する構造等、任意の構造を採用することができる。
【００１３】
本発明の第二の態様は、前記第一の態様に記載のものにおいて、前記アンテナが、前記ハウジングの前記上壁および前記側壁に埋設されているものである。
【００１４】
本態様によれば、ハウジングの上壁および側壁に延存されたアンテナが、ハウジングに埋設されて一体化されていることから、ハウジングおよびアンテナの取り扱いが一層容易になると共に、ハウジングの周辺部品等とアンテナの接触を有利に阻止できることから、無線受信機能付電気接続箱の動作安定性の向上を同時に確保することができる。
【００１５】
本発明の第三の態様は、前記第一または第二の態様に記載のものにおいて、前記アンテナが、前記ハウジングの前記上壁においてメアンダ型に屈曲された形状とされているものである。
【００１６】
本態様によれば、アンテナの形状が、ハウジングの上壁において、メアンダ型すなわちジグザグ状に蛇行配線した形状とされている。これにより、ハウジングの上壁における狭い配設スペースにおいても、アンテナ全体の長さを十分に確保することができるようになっている。
【００１７】
本発明の第四の態様は、前記第一乃至第三の何れか１つの態様に記載のものにおいて、前記アンテナが、前記ハウジングの底壁に延設された状態で固定されているものである。
【００１８】
本態様によれば、アンテナが、ハウジングの上壁と側壁に加えて、底壁にも延設された状態で固定されている。それゆえ、アンテナ全体の長さを一層有利に確保することができるようになっている。
【００１９】
本発明の第五の態様は、前記第一乃至第四の何れか１つの態様に記載のものにおいて、前記プリント基板に、前記コネクタに隣接配置された隣接コネクタが実装されており、前記隣接コネクタのハウジングに固定された追加アンテナが、前記アンテナに接続されているものである。
【００２０】
本態様によれば、隣接配置されたコネクタのハウジングを利用して、スペース効率よく追加アンテナを配設することができ、それをアンテナに接続することで、アンテナ全体の長さを一層有利に確保することも可能となる。したがって、コネクタの大きさが比較的小さい場合等であっても、本発明を適用することにより、複数のコネクタのハウジングを利用して十分な長さが確保されたアンテナを省スペースに配設することが可能となる。なお、追加アンテナを、一端部が無線受信回路に接続されたアンテナに接続する方法は何ら限定されることはないが、例えば、両方のアンテナの接続部をプリント配線を介して接続したり、両方のアンテナの接続部同士を中継端子等で相互に接続することが考えられる。
【発明の効果】
【００２１】
本発明によれば、金属製のアンテナが、プリント基板に実装されたコネクタのハウジングの上壁と側壁に跨って延設された状態で、ハウジングに固定されている。それゆえ、コネクタのハウジングの上壁や側壁をアンテナの配置領域として利用でき、長く大型のアンテナをスペース効率よく配設できることから、従来構造に比して無線受信機能付電気接続箱の格段の小型化を達成できる。しかも、コネクタのハウジングに対してアンテナ自体が固定されていることから、プリント基板にハウジングを実装するだけで同時にアンテナを所定の位置に位置決めして配設できる。それゆえ、従来構造では別途必要であったアンテナを配設する工程をコネクタの実装工程に一元化できることから、製造工程を簡素化でき、作業効率を向上できる。加えて、コネクタのハウジングの上壁と側壁に跨って金属製のアンテナを延在されていることから、ハウジングの剛性も向上できる。これにより、剛性を維持しつつハウジングを薄肉化することも可能となることから、ハウジングの小型化、ひいては無線受信機能付電気接続箱自体のさらなる小型化にも寄与できる。
【図面の簡単な説明】
【００２２】
【図１】本発明の一実施形態としての無線受信機能付電気接続箱を示す分解斜視図。
【図２】図１に示すプリント基板の平面図。
【図３】図１に示すアンテナ単体の斜視図。
【図４】本実施形態のプリント基板の他の態様を示す斜視図であって、図１に示すプリント基板に相当する図。
【図５】本実施形態のプリント基板の別の態様を示す斜視図であって、図１に示すプリント基板に相当する図。
【図６】本実施形態のプリント基板のもう１つの別の態様を示す平面図であって、図２に相当する図。
【発明を実施するための形態】
【００２３】
以下、本発明の実施形態について、図面を参照しつつ説明する。
【００２４】
図１〜３には、本発明の一実施形態としての無線受信機能付電気接続箱１０が、示されている。図１に示されているように、無線受信機能付電気接続箱１０は、例えばポリアミド（ＰＡ）、ポリカーボネート（ＰＣ）、ポリフタルアミド（ＰＰＡ）等の合成樹脂により射出成形等によって形成されたケースであるアッパケース１２とロアケース１４の間に、無線受信回路１６が設けられたプリント基板１８が収容されてなる構造とされている。なお、以下の説明において、特に断りの無い限り、上方とは、図１中の上方、下方とは、図１中の下方、前方とは、図１中の左方、後方とは、図１中の右方を言うものとする。
【００２５】
図１に示されているように、アッパケース１２およびロアケース１４は、互いに相手側に向けて開口する略矩形浅底の略箱体形状を有している。また、アッパケース１２とロアケース１４にはそれぞれ、後述する側方（前方）に向かって開口するコネクタ２０がケース１２，１４の外方に向かって突出するように正面視で略矩形状の切欠部１９ａ，１９ｂが互いに相手側に向けて開口するように形成されている。そして、アッパケース１２とロアケース１４は、例えば、アッパケース１２に設けられた図示しない係止爪が、ロアケース１４の対応する箇所に設けられた図示しない係合枠に挿通されて係合されることにより、相互に組み付けられるようになっている。また、アッパケース１２あるいはロアケース１４の周壁には、周方向に離隔した適所に図示しないブラケット装着部が設けられており、車体側に設けられた図示しないブラケットが装着されて、無線受信機能付電気接続箱１０が車両の適所に装着固定されるようになっている。
【００２６】
一方、プリント基板１８は、図１〜２に示されているように、ガラスエポキシ樹脂などの公知の絶縁材料で形成された略矩形の平板形状を有しており、プリント基板１８の前方（図２中、左方）には前方に向かって開口するコネクタ２０が外周に沿って実装されている一方、プリント基板１８の後方手前側（図２中、右方下側）にはドアロックの制御等を行う無線受信制御部２２を構成するＩＣチップ２４が実装されている。
【００２７】
無線受信制御部２２はまた、図示しないリモートキーやスマートキーからの信号を受信するための無線受信回路１６を備えている。無線受信回路１６はプリント配線によって構成されており、一端側がＩＣチップ２４に接続されかつ他端側がプリント基板１８の前方手前側（図２中、左方下側）に設けられたスルーホール２６に接続されている。かかるスルーホール２６は、プリント基板１８に対して略円形断面形状で貫通形成されており、スルーホール２６の内周面には全面に亘って図示しないめっき層が形成されていると共に、スルーホール２６の開口部の周囲にはフランジ状のランド部２８が設けられている。そして、無線受信回路１６が他端側においてランド部２８に接続されることにより、スルーホール２６の内周面に施された図示しないめっき層と無線受信回路１６が相互に接続されるようになっている。
【００２８】
一方、コネクタ２０は、ハウジング３０に、複数の接続端子３２が挿通されて収容保持された構造とされている。ハウジング３０は、図１〜２に示されているように、合成樹脂から形成された一体成形品とされており、前方（図１〜２中、左方）に向かって開口する略矩形の箱体形状を有している。これにより、ハウジング３０内には前方に開口するコネクタ装着孔３４が形成されている。接続端子３２は、一方の端部がハウジング３０のコネクタ装着孔３４の内部に突設されており、図示しない相手側コネクタがコネクタ装着孔３４に装着されることにより相手側コネクタの接続端子と導通接続されるようになっている一方、他方の端部であるリード部３６がハウジング３０の外方に略クランク形状で突出されており、リード部３６の先端部がプリント基板１８上に設けられたパッド部３８上に載置されて、例えばリフロー方式の半田付けにより接続端子３２がパッド部３８を介してプリント基板１８上に設けられた図示しないプリント配線に対して導通接続されるようになっている（図２参照）。なお、理解を容易とするために、図１〜２においては、半田や一部のプリント配線の図示を省略している。
【００２９】
また、コネクタ２０を構成するハウジング３０は、図１に示されているように、正面視で略横長矩形状とされている。なお、コネクタ２０を構成するハウジング３０の高さ寸法：Ｈに対する幅寸法：Ｗは好ましくは１．５倍以上のもの、より好ましくは２倍以上のもの、さらに好ましくは３倍以上のものが好適である。本実施形態では、ハウジング３０の高さ寸法：Ｈに対する幅寸法：Ｗは約１．６倍とされている。さらに、ハウジング３０は、平面視で略矩形平板形状の底壁４０と、底壁４０の幅方向（図２中、上下方向）の両端縁部から上方に向かって同じ高さ寸法で突出する側面視で略矩形平板形状の側壁４２と、かかる側壁４２の突出端縁部間に延び出す平面視で底壁４０と略同形状とされた略矩形平板形状の上壁４４に加えて、かかる底壁４０と側壁４２と上壁４４によって構成された筒状体の後方開口部を覆蓋する後壁４６を含んで構成されている。そして、かかるハウジング３０を構成する一方（図１〜２中、手前側）の側壁４２および上壁４４には、アンテナ４８が埋設されている。
【００３０】
アンテナ４８は、図３に示されているように、例えば銅板等の表面に錫等のめっきが施された金属板がプレス打ち抜きおよび屈曲加工等されることによって形成されている。より詳細には、アンテナ４８は、一端側５０が上下方向に向かって略直線状に延びるように形成されていると共に一端側５０の下端部には他の部位よりも狭幅とされた一端部たるリード部５２が形成されている。一方、アンテナ４８の他端側５４は、一端側５０の上端部に直交して連結されて水平方向に延出しており、平面視で略コ字状に形成されている。
【００３１】
このような構成とされたアンテナ４８が、図１〜２に示されているように、例えばインサートモールド等の手法によって、一端側５０のリード部５２を除く部位が一方（図１〜２中、手前側）の側壁４２に埋設されている一方、一端側５０の下端部に形成されたリード部５２がハウジング３０の一方の側壁４２に連接する底壁４０から下方に向かって突出するように構成されており、他端側５４は、上壁４４に埋設されている。かかるハウジング３０から突出されたリード部５２は、無線受信回路１６に接続されているスルーホール２６に挿通されるように位置決め配置されており、例えばフロー方式の半田付けによりリード部５２がスルーホール２６に対して導通接続されるようになっている。このように、本実施形態では、アンテナ４８が、コネクタ２０を構成するハウジング３０の一方の側壁４２と上壁４４に跨って延設された状態でハウジング３０に対して埋設すなわち固定されている。そして、かかるアンテナ４８の一端部たるリード部５２がハウジング３０の一方の側壁４２に連接する底壁４０から下方に向かって突出されており、かかるリード部５２が無線受信回路１６に接続されているスルーホール２６に挿通されて半田付けされることにより、アンテナ４８の一端部たるリード部５２が無線受信回路１６に対して導通接続されるようになっている。
【００３２】
図１に示されているように、このような構成とされたプリント基板１８をアッパケース１２とロアケース１４の間に収容配置することにより、本発明の無線受信機能付電気接続箱１０が完成されるようになっている。より詳細には、先ず、上方に向かって開口するロアケース１４内に本実施形態のプリント基板１８を収容配置する。かかるプリント基板１８は必要に応じてねじ留め等の図示しない固定手段によってロアケース１４に対して固定されるようになっている。続いて、かかるロアケース１４の開口部をアッパケース１２によって覆蓋し、アッパケース１２とロアケース１４が図示しない係合手段によって相互に組み付けることにより、コネクタ２０を構成するハウジング３０がアッパケース１２とロアケース１４の切欠部１９ａ，１９ｂを挿通して前方に向かって突出された本発明の無線受信機能付電気接続箱１０が完成されるのである。
【００３３】
このような構造とされた本実施形態の無線受信機能付電気接続箱１０によれば、金属製のアンテナ４８が、コネクタ２０を構成するハウジング３０の一方の側壁４２と上壁４４に跨って埋設された状態でハウジング３０に対して固定されている。それゆえ、ハウジング３０の側壁４２と上壁４４をアンテナ４８の配置領域として利用することができることから、例えばリモートキーレスエントリシステムに必要とされる長く大型のアンテナ４８をスペース効率よく配設することが可能となるのである。また、従来の如きプリント基板上に立体的なアンテナの配設空間を必要とするような場合に比して、かかるアンテナの配設空間を不要とできることから、無線受信機能付電気接続箱１０の格段の小型化を達成することが可能となる。加えて、アンテナ４８がハウジング３０の側壁４２と上壁４４に跨って埋設されていることから、ハウジング３０の剛性も向上できる。それゆえ、剛性を維持しつつハウジング３０を薄肉化することにより、ハウジング３０の小型化ひいては無線受信機能付電気接続箱１０自体のさらなる小型化も可能となる。
【００３４】
また、アンテナ４８がハウジング３０に埋設されて一体化されていることから、プリント基板１８にハウジング３０を実装するだけでアンテナ４８を所定の位置に位置決めして配設することができる。それゆえ、従来の如きアンテナ４８とハウジング３０が別体とされていた場合に比して、アンテナ４８の取り扱いが容易となると共に、製造工程を一本化できて作業効率の向上を図ることができる。しかも、ハウジング３０の周辺部品等とアンテナ４８の接触を有利に阻止できることから、無線受信機能付電気接続箱１０の動作安定性の向上も同時に確保することができる。
【００３５】
加えて、コネクタ２０を構成するハウジング３０が横長とされており、高さ寸法：Ｈの１．５倍以上の幅寸法：Ｗを有していることから、アンテナ４８が埋設されるハウジング３０の上壁４４の長手方向（図２中、上下方向）の長さ寸法に相当する幅寸法：Ｗを有利に確保することができることから、アンテナ４８を有利に形成することができる。
【００３６】
以上、本発明の実施形態について説明してきたが、かかる実施形態における具体的な記載によって、本発明は、何等限定されるものでない。例えば、上記実施形態では、図２に示されているように、プリント基板１８上に実装されたコネクタ２０を構成するハウジング３０の上壁４４に埋設されたアンテナ４８の部位は、平面視で略コ字状に形成されていたが、図４に示す本発明の他の態様としてのプリント基板５６に実装されたコネクタ５７のハウジング５８のように、上壁４４に埋設されたアンテナ６０の部位が平面視で略メアンダ型すなわちジグザグ状に屈曲された形状とされていてもよい。これにより、ハウジング５８の上壁４４の如き狭いスペースであってもアンテナ６０全体の長さを十分に確保することができることから、アンテナ６０の配設スペースを減らすことができ無線受信機能付電気接続箱１０の小型化が可能となっている。なお、上記実施形態では、図２に示されているように、アンテナ４８は、ハウジング３０の一方の側壁４２と上壁４４にのみ設けられていたが、もう一方（図１〜２中、奥側）の側壁４２にも設けられていてもよい。また、図４に示す本発明の他の態様としてのプリント基板５６に実装されたコネクタ５７のハウジング５８では、上壁４４に埋設されたアンテナ６０の部位が平面視で略ジグザグ状に屈曲された形状とされていたが、両側壁４２においてアンテナ６０が略ジグザグ状に屈曲された形状とされていてもよい。
【００３７】
さらに、上記実施形態では、図２に示されているように、アンテナ４８がハウジング３０の一方の側壁４２と上壁４４に跨って埋設されていたが、図５に示す本発明の別の態様としてのプリント基板６２に実装されたコネクタ６３のハウジング６４のように、アンテナ６６がハウジング６４の一方の側壁４２と上壁４４に加えて、もう一方（図１〜２中、奥側）の側壁４２および底壁４０に跨って埋設された状態で固定されていてもよい。これにより、アンテナ６６全体の長さを一層有利に確保することができることから、アンテナ６６の配設スペースを減らして無線受信機能付電気接続箱１０の一層の小型化が可能となっている。なお、かかる両側壁４２と上壁４４と底壁４０におけるアンテナ６６の形状は、例えばリモートキーレスエントリシステムに対応した任意の形状が採用可能である。
【００３８】
加えて、上記実施形態では、図２に示されているように、アンテナ４８がコネクタ２０のハウジング３０の一方の側壁４２と上壁４４に跨って埋設されていたが、図６に示す本発明のもう１つの別の態様としてのプリント基板６８のように、コネクタ６９のハウジング７０に隣接して隣接コネクタ７１のハウジング７２がプリント基板６８に実装されており、隣接コネクタ７１のハウジング７２の一方の側壁４２と上壁４４に跨って埋設された追加アンテナ７４がプリント基板６８上に形成されたプリント配線７６を介して、コネクタ６９のハウジング７０の両側壁４２と上壁４４に跨って埋設されたアンテナ７８に接続されているようにしてもよい。これにより、隣接配置された隣接コネクタ７１のハウジング７２を利用してスペース効率よく追加アンテナ７４を配設することができ、しかもその追加アンテナ７４を、コネクタ６９のハウジング７０に埋設されたアンテナ７８に接続することで、アンテナ７８の長さを一層有利に確保することが可能となる。したがって、コネクタのハウジングの大きさが比較的小さい場合等であっても、本発明のように複数のハウジング７０，７２を利用することによりアンテナ７８の長さを一層有利に確保してアンテナ配設スペースを省スペース化することが可能となる。なお、アンテナ７８と追加アンテナ７４間の接続方法は本実施形態で例示のプリント配線７６を介したものに限定されるものではなく、中継端子等を用いたものなど公知の任意の手法が採用可能である。
【００３９】
また、上記実施形態では、例えば図２に示されているように、アンテナ４８は、リード部３６の除く全面がハウジング３０に埋設されることによって固定されていたが、これに限定されない。例えば、リード部３６の除く一部分のみがハウジング３０に埋設されることによって固定されていてもよいし、アンテナ４８をハウジング３０の側壁４２および上壁４４に対して接着剤等によって固着して固定するようにしてもよい。あるいは、ハウジング３０の側壁４２および上壁４４に突設された係合部をアンテナの係合孔に対して嵌め込む等の任意の係合構造を用いて、ハウジング３０の側壁４２および上壁４４にアンテナ４８を固定するようにしてもよく、ハウジング３０の側壁４２および上壁４４に跨ってアンテナ４８が延存された状態で固定されていれば、任意の手法が採用可能である。加えて、上記実施形態では、アンテナ４８と無線受信回路１６との接続はスルーホール２６を介して行われていたが、例えば表面実装によりパッド等を介して接続するなど任意の方法が採用可能である。
【００４０】
さらに、例示の実施形態では、無線受信機能付電気接続箱１０を車両のリモートキーレスエントリシステムに適用した例を説明したが、それに限定されず、いずれの無線送受信システムにおいても本発明の無線受信機能付電気接続箱１０を適用可能であることは勿論である。
【符号の説明】
【００４１】
１０：無線受信機能付電気接続箱、１２：アッパケース（ケース）、１４：ロアケース（ケース）、１６：無線受信回路、１８，５６，６２，６８：プリント基板、２０，５７，６３，６９：コネクタ、３０，５８，６４，７０，７２：ハウジング、４０：底壁、４２：側壁、４４：上壁、４８，６０，６６，７８：アンテナ、５２：リード部（一端部）、７１：隣接コネクタ、７４：追加アンテナ
【図１】
2018148448.tif 000003
【図２】
2018148448.tif 000004
【図３】
2018148448.tif 000005
【図４】
2018148448.tif 000006
【図５】
2018148448.tif 000007
【図６】
2018148448.tif 000008